【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
送信装置から送信された送信データを伝送媒体を介して受信する受信手段と、
前記伝送媒体上の中継装置が前記受信手段への送信データを識別するための第１の識別情報、及び、前記受信手段が前記受信手段への送信データを識別するための第２の識別情報を前記中継装置に設定する設定手段と、
前記伝送媒体とは異なる媒体を介して前記送信装置に入力される前記第１の識別情報を出力する出力手段とを有し、
前記受信手段は、前記第１の識別情報が入力された前記送信装置から送信され、前記中継装置により前記第２の識別情報を付与されて中継された送信データを、前記第２の識別情報により識別して受信することを特徴とする受信装置。
【請求項２】
送信装置から送信された送信データを伝送媒体を介して受信する受信手段を有し、前記伝送媒体上の中継装置が前記受信手段への送信データを識別するための識別情報を、前記受信手段により前記伝送媒体上の通信装置から受信する受信装置であって、
前記伝送媒体とは異なる媒体を介して前記送信装置に入力される前記識別情報を出力する出力手段を有し、
前記受信手段は、前記識別情報が入力された前記送信装置から送信され、前記中継装置により中継された送信データを受信することを特徴とする受信装置。
【請求項３】
請求項１の受信装置において、
第３の宛先情報を入力する入力手段と、
前記第１の宛先情報と前記第３の宛先情報が一致する場合に、前記受信手段による送信データの受信を制限する制限手段とを更に有することを特徴とする受信装置。
【請求項４】
請求項２の受信装置において、
第２の宛先情報を入力する入力手段と、
前記入力手段により入力された前記第２の宛先情報と前記中継装置が前記受信手段への送信データを識別するための前記識別情報とが一致する場合に、前記受信手段による送信データの受信を制限する制限手段とを更に有することを特徴とする受信装置。
【請求項５】
請求項１の受信装置において、
第３の宛先情報を入力する入力手段と、
前記第１の宛先情報と前記第３の宛先情報が一致する場合に、前記中継装置による前記受信手段への送信データの転送を制限する制限手段とを更に有することを特徴とする受信装置。
【請求項６】
請求項２の受信装置において、
第２の宛先情報を入力する入力手段と、
前記入力手段により入力された前記第２の宛先情報と前記中継装置が前記受信手段への送信データを識別するための前記識別情報とが一致する場合に、前記中継装置による前記受信手段への送信データの転送を制限する制限手段とを更に有することを特徴とする受信装置。
【請求項７】
請求項１の受信装置において、
前記受信手段により前記中継装置から受信された第３の宛先情報が前記第１の宛先情報と一致する場合に、前記受信手段による送信データの受信を制限する制限手段を更に有することを特徴とする受信装置。
【請求項８】
請求項２の受信装置において、
前記受信手段により前記中継装置から受信された第２の宛先情報と前記中継装置が前記受信手段への送信データを識別するための前記識別情報とが一致する場合に、前記受信手段による送信データの受信を制限する制限手段を更に有することを特徴とする受信装置。
【請求項９】
受信装置における受信方法であって、
受信手段が、送信装置から送信された送信データを伝送媒体を介して受信する受信ステップと、
設定手段が、前記伝送媒体上の中継装置が前記受信手段への送信データを識別するための第１の識別情報、及び、前記受信手段が前記受信手段への送信データを識別するための第２の識別情報を前記中継装置に設定する設定ステップと、
出力手段が、前記伝送媒体とは異なる媒体を介して前記送信装置に入力される前記第１の識別情報を出力する出力ステップとを有し、
前記受信手段が、前記第１の識別情報が入力された前記送信装置から送信され、前記中継装置により前記第２の識別情報を付与されて中継された送信データを、前記第２の識別情報により識別して受信することを特徴とする受信装置における受信方法。
【請求項１０】
送信装置から送信された送信データを伝送媒体を介して受信する受信手段を有し、前記伝送媒体上の中継装置が前記受信手段への送信データを識別するための識別情報を、前記受信手段により前記伝送媒体上の通信装置から受信する受信装置における受信方法であって、
出力手段が、前記伝送媒体とは異なる媒体を介して前記送信装置に入力される前記識別情報を出力する出力ステップを有し、
前記受信手段が、前記識別情報が入力された前記送信装置から送信され、前記中継装置により中継された送信データを受信することを特徴とする受信装置における受信方法。
【請求項１１】
送信装置から送信された送信データを伝送媒体を介して受信する受信手段を有するコンピュータに、
前記伝送媒体上の中継装置が前記受信手段への送信データを識別するための第１の識別情報、及び、前記受信手段が前記受信手段への送信データを識別するための第２の識別情報を前記中継装置に設定する設定手順と、
前記伝送媒体とは異なる媒体を介して前記送信装置に入力される前記第１の識別情報を出力する出力手順と、
前記第１の識別情報が入力された前記送信装置から送信され、前記中継装置により前記第２の識別情報を付与されて中継された送信データを、前記第２の識別情報により識別して受信する受信手順とを実行させるためのプログラム。
【請求項１２】
送信装置から送信された送信データを伝送媒体を介して受信する受信手段を有するコンピュータに、
前記伝送媒体上の中継装置が前記受信手段への送信データを識別するための識別情報を、前記受信手段により前記伝送媒体上の通信装置から受信する第１の受信手順と、
前記伝送媒体とは異なる媒体を介して前記送信装置に入力される前記識別情報を出力する出力手順と、
前記識別情報が入力された前記送信装置から送信され、前記中継装置により中継された送信データを受信する第２の受信手順と実行させるためのプログラム。
【手続補正２】
【補正対象書類名】明細書
【補正対象項目名】発明の名称
【補正方法】変更
【補正の内容】
【発明の名称】受信装置、方法、及び、プログラム
【手続補正３】
【補正対象書類名】明細書
【補正対象項目名】０００１
【補正方法】変更
【補正の内容】
【０００１】
本発明は、受信装置、方法、及び、プログラムに関する。
【手続補正４】
【補正対象書類名】明細書
【補正対象項目名】０００３
【補正方法】変更
【補正の内容】
【０００３】
また、受信装置は、セキュリティなどの点から、受信を制限（場合によっては、禁止）することが望ましい場合がある。
【手続補正５】
【補正対象書類名】明細書
【補正対象項目名】０００７
【補正方法】変更
【補正の内容】
【０００７】
本発明は、簡単に、データ送信、あるいは、受信制限の設定を行うことのできる受信装置、方法、及び、プログラムを提供することを目的とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００８４
【補正方法】変更
【補正の内容】
【００８４】
また、インターネット制御装置１０１Ａは、記憶メディア１０２を介してネットワーク制御装置１０１Ｂに入力される識別情報（ＷＡＮ側に公開するネットワーク制御装置１０１ＡのＩＰアドレス、および、ポート番号）を、記憶メディア１０２に出力する。記憶メディア１０２は、インターネット１００とは異なる媒体である。そして、ネットワーク制御装置１０１Ａは、識別情報が入力されたネットワーク制御装置１０１Ｂから送信され、ホームルーター（中継装置）により中継された送信データを受信する。